(57)【要約】【課題】ゴルフにおいてショットの行方を左右する重要な要素であるアドレス時のボール位置は、通常、感覚的にボールを設置するが、常に一定したボールの位置設定をすることができるようになること。【解決手段】本発明は、光線を用いてアドレス時におけるゴルフボールの位置設定を容易に調整することができる器具である。また、光線の照射方向を可変とし、目盛りにより記憶することで常にゴルフクラブ毎の最適なゴルフボール位置設定が可能となる。【選択図】図４
2011110300.tif 000002
【特許請求の範囲】
【請求項１】
ベルトないし衣服に装着可能な本体と、上記本体に取り付けられた光ビーム発生手段と、上記光ビーム発生手段の光照射方向を変化させる光ビーム方向調整手段を備えたゴルフボール位置調整器具。
【請求項２】
光ビーム方向調整手段として、前後方向調整手段と左右方向調整手段を備えた請求項１に記載のゴルフボール位置調整器具。
【請求項３】
請求項２に記載の光ビーム方向調整手段を各々に備えた光ビーム発生手段を複数個設けた請求項１に記載のゴルフボール位置調整器具。
【請求項４】
光ビームをグリッド状に照射する光ビーム発生手段を設けた請求項１に記載のゴルフボール位置調整器具。
【発明の詳細な説明】
【技術分野】
【０００１】
本発明は、ゴルフにおいてショットの行方を左右する重要な要素であるアドレス時のボール位置を調整するためのボール位置調整器具に関するものである。
【背景技術】
【０００２】
アドレス時におけるゴルフボールの設置位置を調整するために、約90cmのプラスティック棒3本を使用者が組み合わせて地面に設置するタイプのものがある。
【先行技術文献】
【非特許文献】
【０００３】
【非特許文献１】商品名  パーフェクトスタンス
【発明の概要】
【発明が解決しようとする課題】
【０００４】
上述の器具は、大掛かりであり、持ち運びが不便であり、かつ周囲に目立つため、使用に際して周囲の目線が気になるため、躊躇することがあった。
【０００５】
そこで、本発明は、上述の問題点を解決し、小型で地面に設置する必要がなく、容易に身に付けることができ、利用に際して目立つことがなく、躊躇することなく使用できるゴルフボール位置調整器具を提供することを課題としている。
【課題を解決するための手段】
【０００６】
上記課題を解決するため、本発明は次のような構成を採用した。すなわち、請求項１に記載の本発明に係るゴルフボール位置調整器具は、衣服に装着可能な本体と、上記本体に取り付けられた光ビーム発生手段と、上記光ビーム発生手段の光照射方向を変化させる光ビーム方向調整手段を備える。
【０００７】
また、請求項２に記載のゴルフボール位置調整器具は、上記請求項１に記載のゴルフボール位置調整器具において、光ビーム方向調整手段として、前後方向調整手段と左右方向調整手段を備えたものである。
【０００８】
また、請求項３に記載のゴルフボール位置調整器具は、上記請求項１に記載のゴルフボール位置調整器具において、請求項２の光ビーム方向調整手段を各々に備えた光ビーム発生手段を複数個設けたものである。
【０００９】
また、請求項４に記載のゴルフボール位置調整器具は、上記請求項１に記載のゴルフボール位置調整器具において、光ビームをグリッド状に照射する光ビーム発生手段を設けたものである。
【発明の効果】
【００１０】
請求項１に記載の本発明に係るゴルフボール位置調整器具は、ベルトないし衣服に装着可能な本体と、上記本体に取り付けられた光ビーム発生手段と、上記光ビーム発生手段の光照射方向を変化させる光ビーム方向調整手段を備えたゴルフボール位置調整器具であるため、小型で利用に際して目立つことがなく、また、地面に設置する必要がなく、衣服に容易に装着できるため、躊躇なく使用できる利点がある。
【００１１】
さらに請求項２に記載のゴルフボール位置調整器具は、前後・左右の二軸に対して光線の照射方向を可動とし、目盛りを設けて記録すれば、ゴルフボールの設置位置を毎回再現可能となる利点がある。
【００１２】
さらに請求項３に記載のゴルフボール位置調整器具は、ゴルフボール位置調整だけでなく、両足の位置調整を行う光ビームを備えることで、両足を飛球線方向と平行にアドレスできる利点がある
【００１３】
さらに請求項４に記載のゴルフボール位置調整器具は、光ビームをグリッド状に照射する光ビーム発生手段を備えることで、グリッドを利用し、ゴルフボールの位置調整かつアドレス時の身体の方向調整を行うことができる利点がある。
【図面の簡単な説明】
【００１４】
【図１】図１は本発明の実施例を示した正面図である。
【図２】図２は本発明の実施例を示した側面図である。
【図３】図３は本発明の実施例を示した上面図である。
【図４】図４は本発明の光線照射状況を示した側面図である。
【図５】図５は前後方向調整台座４に記した目盛りの拡大図である。
【図６】図６は左右方向調整台座５に記した目盛りの拡大図である。
【図７】図７は別の実施例の上面図である。
【図８】図８はさらに別の実施例の上面図である。
【図９】図９は３つ目の別の実施例の上面図である。
【実施例１】
【００１５】
以下、本発明を具体化した実施形態を図１〜図６に基づいて説明する。図１、図２、図３により本発明の実施形態の構成を説明する。当該ゴルフボール位置調整器具は、台座１に連結部２Aで連結され、台座１に常時、付勢させている状態にあるクリップ板２と、台座１に対して連結部１Aで連結され、図４に示す可動方向（前後方向調整）１２の方向に連結部１Aを中心に可動する前後方向調整台座４と、前後方向調整台座４に対して可動方向（左右方向調整）１３の方向に回転可動できるように連結されている左右方向調整台座５と、左右方向調整台座５に固定された半導体レーザー光線の光源６と、光源６を保護する半球体のカバー７と、前後方向調整台座４に内蔵される電池等の電源と、前後方向調整台座４に設置された半導体レーザー光線の光源６のスイッチ８から構成されている。
【００１６】
図１、図２、図３に示す通り、台座１に対してクリップ板２が連結部２Aで連結されており、クリップ板２は連結部２Aを中心に回動する。また連結部２Aに設けられたバネ３によりクリップ板２は台座１に、常時、付勢させている状態にある。バネ３のバネの力に逆らって台座１とクリップ板２を開きその間にベルトないし衣服を挿入し挟みこむことで当該ゴルフボール位置調整器具を身体に固定することができる。また、図３に示すように、台座１とクリップ板２の形状にカーブを持たせ、人体の形状にフィットさせることで光ビーム照射方向を人体に対して安定させる利点がある。
【００１７】
図１、図２、図３に示す通り、台座１に対して前後方向調整台座４が連結部１Aで連結されており、前後方向調整台座４は連結部１Aを中心に、図４に示す可動方向（前後方向調整）１２の方向に回動する。上述の機構により光ビーム照射方向を身体に対して前後に調整することが可能となる。さらに、図５に示す通り前後方向調整台座４に目盛りを、台座１に前後方向調整ゲージ９を記し、前後方向調整ゲージ９が指し示す前後方向調整台座４に記された目盛りの数字を記録することにより光ビーム照射方向の前後方向を記録することが可能となる利点がある。さらに、前後方向調整台座４が前後方向調整台座４に設けた目盛りに対して断続的に回動するようにしておけば光ビーム照射方向の調整を安定的にまた容易にすることができる利点がある。
【００１８】
図１、図２、図３に示す通り、左右方向調整台座５が可動方向（左右方向調整）１３の方向に回転可動（前後方向調整台座４に対して平行に回転）できるように前後方向調整台座４に連結されている。上述の機構により光ビーム照射方向を身体に対して左右に調整することが可能となる。さらに、図６に示す通り左右方向調整台座５に目盛りを、前後方向調整台座４に左右方向調整ゲージ１０を記し、左右方向調整ゲージ１０が指し示す左右方向調整台座５に記された目盛りの数字を記録することにより光ビーム照射方向の左右方向を記録することが可能となる利点がある。さらに、左右方向調整台座５が左右方向調整台座５に設けた目盛りに対して断続的に回転するようにしておけば光ビーム照射方向の調整を安定的にまた容易にすることができる利点がある。
【００１９】
カバー７は、半導体レーザー光線の光源６を保護する目的で設けられているものであるため、その形状、材質は、光源６を保護可能でレーザー光線を遮らない材質・形状であればデザイン性等を考慮し様々に考えられるものである。
【００２０】
実施例の使用方法を説明する。本実施例のゴルフボール位置調整器具をベルトないし衣服に装着し、ゴルフクラブ毎に最適なアドレスの足の位置を決め、最適な前傾姿勢をとり、ビームが正しいボール位置を示すように、光ビーム方向調整を行う。この際、ボールのどの部位に光ビームを合わせればよいかが問題となるが、図４に示すようにゴルフボール頭頂部が適切であるが、この部位に限定するものではなく、場合によっては使用者により適切に設定される場合もある。一度、ゴルフクラブ毎に最適なボール位置調整を行い、目盛りの数字を記録することにより、何度でも最適なゴルフボール位置を再現することができる。
【００２１】
実施例では、台座１とクリップ板２の間にベルトないし衣服を挿入し、バネの力によりはさみこみ身に着ける図としているが、これに限定されるものではなく、装着部分やデザイン等の関係で、図７に示すような台座１に取り付けたゴムバンド１５を身体に巻きつけて装着する方法なども考えられる。図７の他の構成要素においては、上述の実施例で同じ番号にて説明済みであるため説明を省略する。
【００２２】
実施例では、半導体レーザー光線の光源は光源６の一つで構成されているが、これに限定されるものではなく、より精度良くゴルフボールの位置調整を行うために２個以上でもよい。例えば、図８のようにゴルフボールの位置に対して両足の位置関係を示すためにレーザー光線の光源をゴルフボール位置用に１個、両足の位置用に２個の計３個設ける場合も考えられる。これにより、ゴルフボール位置調整だけでなく、両足を飛球線方向と平行にアドレスできる利点も追加される。図８の他の構成要素においては、上述の実施例で同じ番号にて説明済みであるため説明を省略する。
【００２３】
また、図９のように、プリズムを使用するなどの適切な導光手段を配置することにより、レーザー光線をグリッド状に照射１７することで、ゴルフボールの位置調整かつアドレス時の身体の方向調整を行う方法も考えられる。図９の他の構成要素においては、上述の実施例で同じ番号にて説明済みであるため説明を省略する。
【符号の説明】
【００２４】
１    台座
1A    連結部（台座１と前後方向調整台座４）
２    クリップ板
２A    連結部（台座１とクリップ板２）
３    バネ
４    前後方向調整台座
５    左右方向調整台座
６    半導体レーザー光線の光源
７    カバー
８    スイッチ
９    前後方向調整ゲージ
１０    左右方向調整ゲージ
１１    レーザー光線
１２    可動方向（前後方向調整）
１３    可動方向（左右方向調整）
１４    ゴルフボール
１５    ゴムバンド
１６    使用者の足
１７    グリッド状に照射された光ビーム
【図１】
2011110300.tif 000003
【図２】
2011110300.tif 000004
【図３】
2011110300.tif 000005
【図４】
2011110300.tif 000006
【図５】
2011110300.tif 000007
【図６】
2011110300.tif 000008
【図７】
2011110300.tif 000009
【図８】
2011110300.tif 000010
【図９】
2011110300.tif 000011